(57)【要約】      （修正有）【課題】折り鶴等の陳列は、軽量にて安定させることは容易ではなく、装着状態が安定し、小さなスペースで保管・輸送が可能な折り畳み式の陳列体を提供する。【解決手段】弾力性を有するところの外形形状の四辺形のうちの平行する二辺に、湾曲する支点Ｇ１４・Ｇ１５を有し、この二辺に直角なる一対の彎曲分割線と、この彎曲分割線間を結ぶところの連結分割線によって、陳列物を貫通・保持するところの頂上開口部Ｇ１を頂上Ｇ１８に配設した、アーチ状に湾曲した陳列板Ｇの頂上開口部Ｇ１を含む頂上Ｇ１８を、開閉自在なる折り曲げ線を有する四角をもって垂直断面形状を四辺形とする補強体Ｋの上面Ｋ５に設けた装入孔Ｌに装入し、補強体Ｋの下面Ｋ８上には、陳列板Ｇのアーチ状に湾曲する支点Ｇ１４・Ｇ１５となる二辺を載置して、陳列物が陳列板Ｇの頂上開口部Ｇ１に貫通し易くなるとともに、装着状態が安定し、また、補強体Ｋの開閉自在なる折り曲げ線にて小さなスペースで保管・輸送が可能になる。【選択図】図８
0003197704.tif 000002
【実用新案登録請求の範囲】
【請求項１】
弾力性を有する外形形状の四辺形のうちの平行する二辺に湾曲する支点を有し、この二辺に直角なる一対の彎曲分割線と、この彎曲分割線間を結ぶ連結分割線による頂上開口部を頂上に配設し、一対の前記彎曲分割線を二辺とする貫通孔に貫通した陳列物を、前記連結分割線が形成する頂点が対向する一対の凸状保持板にて圧接した陳列板。
【請求項２】
前記陳列板の彎曲を凸状とした凸状陳列板の湾曲する支点を有する二辺のうち、一方の辺の延長に開閉自在なる折り曲げ線をもって外形形状が四辺形なる底板を付設し、他方の辺は前記底板と対応的凹凸をもって係合した陳列体。
【請求項３】
前記陳列板の彎曲をアーチ状としたアーチ状陳列板の湾曲する支点となる二辺に平行し、かつ、この二辺よりも大きな左右辺と、前記アーチ状陳列板の湾曲する支点間隔より小さな上下辺よりなる四辺形の装入孔を、フラット状の補強板に設け、この装入孔に前記アーチ状陳列板の頂上開口部を含む頂上を装入した陳列体。
【請求項４】
開閉自在なる折り曲げ線を有する四角をもって垂直断面形状が四辺形の補強体のうち、前記補強板からなる上面の前記装入孔に、前記アーチ状陳列板の頂上開口部を含む頂上を装入し、前記補強体の下面上に前記アーチ状陳列板の湾曲する支点となる二辺を載置した請求項３記載の陳列体。
【請求項５】
前記陳列板の彎曲を環状とした環状陳列板の湾曲する支点を有する二辺を、下部にて対応的凹凸をもって互いに係合した陳列体。
【請求項６】
下部の二辺にそれぞれの弦が平行し、それぞれの頂点が前記環状陳列板の頂上に向かう一対の弓形分割線により、一対の弓形支持板を左右に突設した請求項５記載の陳列体。
【考案の詳細な説明】
【技術分野】
【０００１】  本考案は、折り紙の折り鶴等の陳列に関するものである。
【背景技術】
【０００２】  従来の折り紙の折り鶴等の陳列は、糸を折り鶴に通して上より吊るす方法等がとられていた。
【考案の概要】
【考案が解決しようとする課題】
【０００３】  従来の折り紙の折り鶴等の陳列は、本体が軽量であるとともに、筒状としないところの折り鶴下部の複雑な形状等より、円形や四辺形の貫通孔等に投入するだけで安定させることは容易ではない、従って、陳列された折り紙の折り鶴等の装着状態が安定し、また、小さなスペースで保管・輸送が可能な折り畳み式の陳列体を得ることを目的とする。
【課題を解決するための手段】
【０００４】  本考案の第一の課題解決手段は、弾力性を有する外形形状の四辺形のうちの平行する二辺に湾曲する支点を有し、この二辺に直角なる一対の彎曲分割線と、この彎曲分割線間を結ぶ連結分割線による頂上開口部を頂上に配設し、一対の彎曲分割線を二辺とする貫通孔に貫通した陳列物を、連結分割線が形成する頂点が対向する一対の凸状保持板にて圧接した陳列板とするものである。【０００５】  また、第二の課題解決手段は、陳列板の彎曲を凸状とした凸状陳列板の湾曲する支点を有する二辺のうち、一方の辺の延長に開閉自在なる折り曲げ線をもって外形形状が四辺形なる底板を付設し、他方の辺は底板と対応的凹凸をもって係合した陳列体とするものである。【０００６】  また、第三の課題解決手段は、陳列板の彎曲をアーチ状としたアーチ状陳列板の湾曲する支点となる二辺に平行し、かつ、この二辺よりも大きな左右辺と、アーチ状陳列板の湾曲する支点間隔より小さな上下辺よりなる四辺形の装入孔を、フラット状の補強板に設け、この装入孔にアーチ状陳列板の頂上開口部を含む頂上を装入した陳列体とするものである。【０００７】  また、第四の課題解決手段は、上述の第三の課題解決手段となる陳列体において、開閉自在なる折り曲げ線を有する四角をもって垂直断面形状が四辺形の補強体のうち、補強板からなる上面の装入孔に、アーチ状陳列板の頂上開口部を含む頂上を装入し、補強体の下面上にアーチ状陳列板の湾曲する支点となる二辺を載置するものである。【０００８】  また、第五の課題解決手段は、陳列板の彎曲を環状とした環状陳列板の湾曲する支点を有する二辺を、下部にて対応的凹凸をもって互いに係合した陳列体とするものである。【０００９】  また、第六の課題解決手段は、上述の第五の課題解決手段となる陳列体に、下部の二辺にそれぞれの弦が平行し、それぞれの頂点が環状陳列板の頂上に向かう一対の弓形分割線により、一対の弓形支持板を左右に突設するものである。
【考案の効果】
【００１０】  上述の様に第一の考案効果は、弾力性を有する外形形状の四辺形のうちの平行する二辺に湾曲する支点を有し、この二辺に直角なる一対の彎曲分割線と、この彎曲分割線間を結ぶ連結分割線による頂上開口部を頂上に配設し、一対の彎曲分割線を二辺とする貫通孔に貫通した陳列物を、連結分割線が形成する頂点が対向する一対の凸状保持板にて圧接した陳列板は、頂上開口部に貫通した陳列物を、互いに中央に向かって傾斜するところの左右凸状保持板にて、左右より圧接することとなり、陳列物の装着状態が安定するとともに、弾力性を有する材料をもって扁平状に折り畳みができ、小さなスペースで保管・輸送が可能な折り畳み式の陳列板となる。【００１１】  また、第二の考案効果は、陳列板の彎曲を凸状とした凸状陳列板の湾曲する支点を有する二辺のうち、一方の辺の延長に開閉自在なる折り曲げ線をもって外形形状が四辺形なる底板を付設し、他方の辺は底板と対応的凹凸をもって係合した陳列体は、凸状陳列板の頂上開口部に陳列物を貫通しなくても、凸状陳列板の頂上は底板にて彎曲されている、すなわち、一対の左右凸状保持板の頂点間に、ある程度の間隔が形成されることとなり、陳列物を貫通し易く、陳列物の装着状態が安定するとともに、弾力性を有する材料、開閉自在な折り曲げ線、及び、対応的凹凸による係合をもって扁平状に折り畳みができ、小さなスペースで保管・輸送が可能な折り畳み式の陳列体となる。【００１２】  また、第三の考案効果は、陳列板の彎曲をアーチ状としたアーチ状陳列板の湾曲する支点となる二辺に平行し、かつ、この二辺よりも大きな左右辺と、アーチ状陳列板の湾曲する支点間隔より小さな上下辺よりなる四辺形の装入孔を、フラット状の補強板に設け、この装入孔にアーチ状陳列板の頂上開口部を含む頂上を装入した陳列体は、アーチ状陳列板の頂上開口部に陳列物を貫通しなくても、アーチ状陳列板の頂上は補強板にて彎曲されている、すなわち、一対の左右凸状保持板の頂点間に、ある程度の間隔が形成されることとなり、陳列物を貫通し易く、陳列物の装着状態が安定するとともに、弾力性を有する材料をもって扁平状に折り畳みができ、小さなスペースで保管・輸送が可能な折り畳み式の陳列体となる。【００１３】  また、第四の考案効果は、上述の第三の考案効果となる陳列体において、開閉自在なる折り曲げ線を有する四角をもって垂直断面形状が四辺形の補強体のうち、補強板からなる上面の装入孔に、アーチ状陳列板の頂上開口部を含む頂上を装入し、補強体の下面上にアーチ状陳列板の湾曲する支点となる二辺を載置するものであり、アーチ状陳列板の頂上開口部に陳列物を貫通しなくても、アーチ状陳列板の頂上は補強体にて彎曲されている、すなわち、一対の左右凸状保持板の頂点間に、ある程度の間隔が形成されることとなり、陳列物を貫通し易く、陳列物の装着状態が安定するとともに、弾力性を有する材料、及び、開閉自在な折り曲げ線をもって扁平状に折り畳みができ、小さなスペースで保管・輸送が可能な折り畳み式の陳列体となる。【００１４】  また、第五の考案効果は、陳列板の彎曲を環状とした環状陳列板の湾曲する支点を有する二辺を、下部にて対応的凹凸をもって互いに係合した陳列体は、環状陳��板の頂上開口部に陳列物を貫通しなくても、環状陳列板は環状にて、環状陳列板の頂上は彎曲されている、すなわち、一対の左右凸状保持板の頂点間に、ある程度の間隔が形成されることとなり、陳列物を貫通し易く、陳列物の装着状態が安定するとともに、弾力性を有する材料、及び、対応的凹凸による係合をもって扁平状に折り畳みができ、小さなスペースで保管・輸送が可能な折り畳み式の陳列体となる。【００１５】  また、第六の考案効果は、上述の第五の考案効果となる陳列体に、下部の二辺にそれぞれの弦が平行し、それぞれの頂点が環状陳列板の頂上に向かう一対の弓形分割線により、一対の弓形支持板を左右に突設するものであり、この下部の左右に突設される一対の弓形支持板にて安定し、陳列物の装着状態がより安定する陳列体となる。
【図面の簡単な説明】
【００１６】
【図１】本考案の実施の形態１を示す陳列板の正面より見た要部断面図である。
【図２】同陳列板の展開図である。
【図３】本考案の実施の形態２を示す陳列体の正面より見た要部断面図である。
【図４】同陳列体の展開図である。
【図５】本考案の実施の形態３を示す陳列体の正面より見た要部断面図である。
【図６】同アーチ状陳列板の展開図である。
【図７】同補強板の平面図である。
【図８】本考案の実施の形態４を示す陳列体の正面より見た要部断面図である。
【図９】同補強体の展開図である。
【図１０】本考案の実施の形態５を示す陳列体の正面より見た要部断面図である。
【図１１】同陳列体の展開図である。
【図１２】本考案の実施の形態６を示す陳列体の正面より見た要部断面図である。
【図１３】同陳列体の展開図である。
【考案を実施するための形態】
【００１７】  以下、本考案の実施の形態を実施例にもとづき図面を参照して説明する。
【実施例１】
【００１８】  実施の形態１を示す図１・２において、陳列板Ａは、頂上開口部Ａ１を配設する実施例である。【００１９】  陳列板Ａは厚み０．３ｍｍ程度の、ある程度の弾性を有するところの厚紙にて、四辺Ａ２〜Ａ５からなる長方形の外形形状からなり、中央には彎曲分割線Ａ６・Ａ７とＸ字状の連結分割線Ａ８・Ａ９からなる頂上開口部Ａ１を設けている。【００２０】  彎曲分割線Ａ６・Ａ７は外形形状の上下辺Ａ２・Ａ４にそれぞれ平行し、また、連結分割線Ａ８・Ａ９は、一方の彎曲分割線Ａ６の左端Ａ１０・右端Ａ１１と、他方の彎曲分割線Ａ７の右端Ａ１３・左端Ａ１２をそれぞれ結んで、２本の連結分割線Ａ８・Ａ９がＸ字状に配設されている。【００２１】  したがって、陳列板Ａの四辺Ａ２〜Ａ５のうちの平行する左右辺Ａ３・Ａ５に位置するところの支点Ａ１４・Ａ１５をもって、左右側板Ａ１６・Ａ１７にて彎曲された頂上Ａ１８には、対向する彎曲分割線Ａ６・Ａ７を二辺とする貫通孔Ａ１９と、左右対称なる一対の三角形の左右凸状保持板Ａ２０・Ａ２１からなる頂上開口部Ａ１を形成することとなるが、この時、左右凸状保持板Ａ２０・Ａ２１は、弾性を有する材質により元の状態に戻ろうとする反発力が発生して彎曲されることはなく、この左右凸状保持板Ａ２０・Ａ２１は、互いに中央に向かって傾斜して、頂点Ａ２２・Ａ２３間に、ある程度の間隔を形成することとなり、さらに、この間隔を大きくするならば、上述とは反対に、弾性を有する材質により、頂点Ａ２２・Ａ２３間の間隔を小さくしようとする反発力が発生する、例えば、折り鶴の足を形成する一対の谷折り内に、三角形の左右凸状保持板Ａ２０・Ａ２１の一対の頂点Ａ２２・Ａ２３を左右より装入して、この頂点Ａ２２・Ａ２３の間隔が、折り鶴により大きくなるならば、左右凸状保持板Ａ２０・Ａ２１は、折り鶴の谷折り内に圧接されることとなる、すなわち、折り鶴の装着状態は安定することとなる。【００２２】  また、頂上開口部Ａ１に陳列物を貫通している限り、左右凸状保持板Ａ２０・Ａ２１の頂点Ａ２２・Ａ２３間にある程度の間隔が形成される、すなわち、左右側板Ａ１６・Ａ１７が互いに中央に向かって彎曲する状態が形成されて、陳列板Ａが彎曲されることとなり、彎曲された陳列板Ａの頂上開口部Ａ１に貫通した陳列物の装着状態は安定するとともに、弾力性を有する材料をもって扁平状に折り畳みができ、小さなスペースで保管・輸送が可能な折り畳み式の陳列板Ａとなる。【００２３】  上述の実施例において、陳列板Ａを厚紙製としているが、弾力性を有するプラスチック板としてもよい。【００２４】  また、彎曲分割線Ａ６・Ａ７と連結分割線Ａ８・Ａ９は、それぞれ直線からなる分割線としているが、陳列物の水平断面形状に合わせて、曲線を含む分割線としてもよい。【００２５】  また、連結分割線Ａ８・Ａ９は２本の分割線にてＸ字状としているが、一対の彎曲分割線Ａ６・Ａ７のそれぞれの中央を結ぶところの１本の分割線とするならば、彎曲分割線Ａ６・Ａ７と１本の連結分割線はＨ字状に形成されて、左右対称なる左右凸状保持板はそれぞれ四辺形となり、この左右凸状保持板間を貫通するところの陳列物は、左凸状保持板の右辺と右凸状保持板の左辺の、平行する二辺に圧接��れて、多様な陳列物の中でも、水平断面形状が四辺形からなる陳列物が、特に安定することになる。【００２６】  また、頂上開口部Ａ１の左右凸状保持板Ａ２０・Ａ２１を三角形とし、鋭角的な頂点Ａ２２・Ａ２３としているが、陳列物の水平断面形状の凹部に装入し易いところの、曲線からなる頂点の形状としてもよいし、また、左右凸状保持板の形状を、陳列板Ａの左右辺Ａ３・Ａ５に平行するところの弦をもって、対向する一対の弓形としてもよい。【００２７】  また、上述の陳列板Ａは、アーチ状に近い彎曲の状態にて説明しているが、アーチ状はもちろん、頂上を弓形とする山形状、逆Ｕ字形、及び、環状等の彎曲であっても問題はありません。
【実施例２】
【００２８】  実施の形態２を示す図３・４において、陳列体Ｂ１は、凸状陳列板Ｃに底板Ｄを付設する実施例である。【００２９】  陳列体Ｂ１は厚み０．３ｍｍ程度の、ある程度の弾性を有するところの厚紙にて、上述の実施の形態１の陳列板Ａと同等なる四辺Ｃ２〜Ｃ５からなる凸状陳列板Ｃ、この両端のうちの右辺Ｃ５に設けた係合凸部Ｅ、左辺Ｃ３に設けた底板Ｄ及び係合孔Ｆからなり、この係合凸部Ｅを係合孔Ｆに挿入して、凸状陳列板Ｃと底板Ｄを一体とする陳列体Ｂ１を形成している。【００３０】  凸状陳列板Ｃは、上述の実施の形態１の陳列板Ａと同等であり、頂上開口部Ｃ１、辺Ｃ２〜Ｃ５、彎曲分割線Ｃ６・Ｃ７、連結分割線Ｃ８・Ｃ９、左端Ｃ１０・Ｃ１２、右端Ｃ１１・Ｃ１３、支点Ｃ１４・Ｃ１５、左右側板Ｃ１６・Ｃ１７、頂上Ｃ１８、貫通孔Ｃ１９、左右凸状保持板Ｃ２０・Ｃ２１、頂点Ｃ２２・Ｃ２３は、上述の実施の形態１における陳列板Ａの頂上開口部Ａ１、辺Ａ２〜Ａ５、彎曲分割線Ａ６・Ａ７、連結分割線Ａ８・Ａ９、左端Ａ１０・Ａ１２、右端Ａ１１・Ａ１３、支点Ａ１４・Ａ１５、左右側板Ａ１６・Ａ１７、頂上Ａ１８、貫通孔Ａ１９、左右凸状保持板Ａ２０・Ａ２１、頂点Ａ２２・Ａ２３にそれぞれ相当するものであるが、四辺Ｃ２〜Ｃ５のうちの左右辺Ｃ３・Ｃ５には、それぞれ底板Ｄ・係合凸部Ｅを設けている。【００３１】  凸状陳列板Ｃの右辺Ｃ５の中間には、四辺Ｅ１〜Ｅ４からなる長方形の外形形状の係合凸部Ｅを設け、この左辺Ｅ２と陳列板Ｃの右辺Ｃ５にて一体としており、また、凸状陳列板Ｃの左辺Ｃ３には開閉自在なる折り曲げ線Ｃ２４をもって、四辺Ｄ１〜Ｄ４からなる長方形の外形形状の底板Ｄを併設しており、さらに、この底板Ｄには四辺Ｆ１〜Ｆ４からなる長方形の外形形状の係合孔Ｆを配設し、係合孔Ｆの左右辺Ｆ２・Ｆ４は底板Ｄの左辺Ｄ２に平行としている。【００３２】  なお、係合孔Ｆには、係合凸部Ｅの右辺Ｅ４より挿入するものであり、係合孔Ｆの大きさは、係合凸部Ｅの右辺Ｅ４の板厚断面とほぼ同等とし、係合凸部Ｅがスムーズに挿入・取り出しができるように、若干これより大きくしている。【００３３】  したがって、凸状陳列板Ｃを彎曲した状態における左右辺Ｃ３・Ｃ５の間隔を、底板Ｄの右辺Ｄ４と、係合孔Ｆの左辺Ｆ２との間隔より大きくしているため、係合凸部Ｅを係合孔Ｆに挿入した場合、凸状陳列板Ｃは、左右辺Ｃ３・Ｃ５をそれぞれ支点Ｃ１４・Ｃ１５として彎曲することとなる。【００３４】  また、凸状陳列板Ｃは、頂上開口部Ｃ１に陳列物を貫通しなくても、凸状陳列板Ｃの頂上Ｃ１８は底板Ｄにて彎曲されている、すなわち、左右凸状保持板Ｃ２０・Ｃ２１の頂点Ｃ２２・Ｃ２３間に、ある程度の間隔が形成されることとなり、陳列物を貫通し易く、陳列物の装着状態が安定するとともに、弾力性を有する材料、開閉自在な折り曲げ線Ｃ２４、及び、対応的凹凸による係合をもって扁平状に折り畳みができ、小さなスペースで保管・輸送が可能な折り畳み式の陳列体Ｂ１となる。【００３５】  上述の実施例において、底板Ｄの両端のうちの片方にて、対応的凹凸による係合をもって折り畳み式としているが、この陳列体を分解する必要がないのであれば、これを互いに接着して、天板と底板を一体と��てもよいし、また、凸状陳列板と底板を別部品とし、この凸状陳列板の両端と底板の両端を、対応的凹凸をもって係合してもよい。【００３６】  また、上述の凸状陳列板Ｃは、アーチ状に近い彎曲の状態にて説明しているが、アーチ状はもちろん、頂上を弓形とする山形状、及び、逆Ｕ字形等の彎曲であっても問題はありません。
【実施例３】
【００３７】  実施の形態３を示す図５〜７において、陳列体Ｂ２は、アーチ状陳列板Ｇに補強板Ｈを付設する実施例である。【００３８】  アーチ状陳列板Ｇは、上述の実施の形態１の陳列板Ａと同等であり、頂上開口部Ｇ１、辺Ｇ２〜Ｇ５、彎曲分割線Ｇ６・Ｇ７、連結分割線Ｇ８・Ｇ９、左端Ｇ１０・Ｇ１２、右端Ｇ１１・Ｇ１３、支点Ｇ１４・Ｇ１５、左右側板Ｇ１６・Ｇ１７、頂上Ｇ１８、貫通孔Ｇ１９、左右凸状保持板Ｇ２０・Ｇ２１、頂点Ｇ２２・Ｇ２３は、上述の実施の形態１における陳列板Ａの頂上開口部Ａ１、辺Ａ２〜Ａ５、彎曲分割線Ａ６・Ａ７、連結分割線Ａ８・Ａ９、左端Ａ１０・Ａ１２、右端Ａ１１・Ａ１３、支点Ａ１４・Ａ１５、左右側板Ａ１６・Ａ１７、頂上Ａ１８、貫通孔Ａ１９、左右凸状保持板Ａ２０・Ａ２１、頂点Ａ２２・Ａ２３にそれぞれ相当するものである。【００３９】  補強板Ｈは厚み０．５ｍｍ程度の厚紙にて、四辺Ｈ１〜Ｈ４からなる四辺形の外形形状からなり、中央には、四辺Ｊ１〜Ｊ４からなる四辺形の装入孔Ｊを設けており、この装入孔Ｊの左右辺Ｊ２・Ｊ４は、アーチ状陳列板Ｇの左右辺Ｇ３・Ｇ５より大きく、また、装入孔Ｊの上下辺Ｊ１・Ｊ３は、アーチ状陳列板Ｇをアーチ状に湾曲した状態における支点Ｇ１４と支点Ｇ１５の間隔より小さいものとしている。【００４０】  また、補強板Ｈの上下辺Ｈ１・Ｈ３と、アーチ状陳列板Ｇの上下辺Ｇ２・Ｇ４が、それぞれ平行となる状態にて、補強板Ｈをアーチ状陳列板Ｇ上に併設した時、アーチ状陳列板Ｇをアーチ状に湾曲するならば、このアーチ状陳列板Ｇの頂上Ｇ１８は、補強板Ｈの装入孔Ｊ内に装入できることとなり、装入孔Ｊの左右辺Ｊ２・Ｊ４は、アーチ状陳列板Ｇの左右側板Ｇ１６・Ｇ１７上にそれぞれ位置して、アーチ状に湾曲したアーチ状陳列板Ｇの頂上Ｇ１８が、装入孔Ｊ内に突出することとなるが、この時、アーチ状陳列板Ｇをアーチ状に湾曲したことにより、弾力性を有する材質からなるアーチ状陳列板Ｇには、左右側板Ｇ１６・Ｇ１７を装入孔Ｊの左右辺Ｊ２・Ｊ４に、それぞれ押し付けるような反発力が発生することとなり、アーチ状に湾曲したアーチ状陳列板Ｇの頂上Ｇ１８が、補強板Ｈの装入孔Ｊ内に装入されて、補強板Ｈはある程度の高さをもって水平状態に保持されるとともに、アーチ状陳列板Ｇも補強板Ｈにてアーチ状に安定することとなる。【００４１】  したがって、補強板Ｈの装入孔Ｊに装入されるアーチ状陳列板Ｇの頂上Ｇ１８の範囲には、頂上開口部Ｇ１を含むものとしており、アーチ状陳列板Ｇの頂上開口部Ｇ１に陳列物を貫通しなくても、アーチ状陳列板Ｇは補強板Ｈにてアーチ状となっている、すなわち、一対の左右凸状保持板Ｇ２０・Ｇ２１の頂点Ｇ２２・Ｇ２３間に、ある程度の間隔が形成されることとなり、陳列物を貫通し易く、陳列物の装着状態が安定するとともに、弾力性を有する材料をもって扁平状に折り畳みができ、小さなスペースで保管・輸送が可能な折り畳み式の陳列体Ｂ２となる。【００４２】  上述の実施例において、補強板Ｈを厚紙製としているが、プラスチック板としてもよい。【００４３】  また、補強板Ｈには１枚のアーチ状陳列板Ｇを装着しているが、補強板に複数の装入孔を配設して、これに装入する複数のアーチ状陳列板を���着してもよい。【００４４】  また、上述のアーチ状陳列板Ｇは、アーチ状の彎曲の状態にて説明しているが、頂上を弓形とする山形状等の彎曲であっても問題はありません。
【実施例４】
【００４５】  実施の形態４を示す図８・９において、陳列体Ｂ３は、アーチ状陳列板Ｇに補強体Ｋを付設する実施例であり、アーチ状陳列板Ｇは上述の実施の形態３におけるものとしている。【００４６】  補強体Ｋは、四辺Ｋ１〜Ｋ４からなる四辺形の厚み０．３ｍｍ程度の厚紙を用い、上面Ｋ５、一対の左右面Ｋ６・Ｋ７、下面Ｋ８の四面からなるところの垂直断面形状が四辺形なる筒状にしたものであり、四角Ｋ１０〜Ｋ１３のうちの角Ｋ１２にて、右面Ｋ７にのり代Ｋ９を設けて下面Ｋ８に接着剤で貼り合わせており、また、四角Ｋ１０〜Ｋ１３に開閉自在な折り曲げ線Ｋ１４〜Ｋ１７を配設して、交差する対角線Ｋ２０・Ｋ２１上に位置する角Ｋ１０とＫ１２、又は、Ｋ１１とＫ１３をもって、補強体Ｋは扁平状に折り畳まれるものである。【００４７】  補強体Ｋの上面Ｋ５は、上述の実施例３における補強板Ｈと同等であり、装入孔Ｌ、四辺Ｋ２２〜Ｋ２５・Ｌ１〜Ｌ４は、上述の実施の形態３における補強板Ｈの装入孔Ｊ、四辺Ｈ１〜Ｈ４・Ｊ１〜Ｊ４にそれぞれ相当するものである。【００４８】  したがって、筒状なる補強体Ｋは、アーチ状陳列板Ｇをアーチ状に安定させるところの、アーチ状陳列板Ｇの頂上Ｇ１８が装入される装入孔Ｌを有する上面Ｋ５と、アーチ状陳列板Ｇのアーチ状に湾曲する支点Ｇ１４・Ｇ１５となる左右辺Ｇ３・Ｇ５が載置される下面Ｋ８を併設することとなり、アーチ状陳列板Ｇの頂上開口部Ｇ１に陳列物を貫通しなくても、アーチ状陳列板Ｇは補強体Ｋにてアーチ状となっている、すなわち、一対の左右凸状保持板Ｇ２０・Ｇ２１の頂点Ｇ２２・Ｇ２３間に、ある程度の間隔が形成されることとなり、陳列物を貫通し易く、陳列物の装着状態が安定するとともに、弾力性を有する材料、及び、開閉自在な折り曲げ線をもって扁平状に折り畳みができ、小さなスペースで保管・輸送が可能な折り畳み式の陳列体Ｂ３となる。【００４９】  上述の実施例において、補強体Ｋを厚紙製としているが、弾力性を有するプラスチック板としてもよい。【００５０】  また、補強体Ｋには１枚のアーチ状陳列板Ｇを装着しているが、補強体に複数の装入孔を配設して、これに装入する複数のアーチ状陳列板を装着してもよい。【００５１】  また、アーチ状陳列板Ｇのアーチ状に湾曲する支点Ｇ１４・Ｇ１５となる左右辺Ｇ３・Ｇ５を、補強体Ｋの下面Ｋ８上に載置しているが、アーチ状態におけるアーチ状陳列板Ｇの支点Ｇ１４とＧ１５の間隔と、補強体Ｋの左面Ｋ６と右面Ｋ７の間隔を同等とし、アーチ状陳列板Ｇの左右辺Ｇ３・Ｇ５を、補強体Ｋの四角Ｋ１０〜Ｋ１３のうちの二角Ｋ１１・Ｋ１２内に挟着するならば、陳列物の装着状態がより安定することとなる。
【実施例５】
【００５２】  実施の形態５を示す図１０・１１において、陳列体Ｂ４は、環状陳列板Ｍの垂直断面形状を環状とする実施例である。【００５３】  陳列体Ｂ４は厚み０．３ｍｍ程度の、ある程度の弾性を有するところの厚紙にて、上述の実施の形態１の陳列板Ａと同等なる四辺Ｍ２〜Ｍ５からなる環状陳列板Ｍ、この両端のうちの左辺Ｍ３に設けた係合凸部Ｎ及び切り欠き部Ｒ、右辺Ｍ５に設けた固定板Ｐ及び係合孔Ｑからなり、この係合凸部Ｎを係合孔Ｑに挿入して、垂直断面形状を環状とする陳列体Ｂ４を形成している。【００５４】  環状陳列板Ｍは、上述の実施の形態１の陳列板Ａと同等であり、頂上開口部Ｍ１、辺Ｍ２〜Ｍ５、彎曲分割線Ｍ６・Ｍ７、連結分割線Ｍ８・Ｍ９、左端Ｍ１０・Ｍ１２、右端Ｍ１１・Ｍ１３、支点Ｍ１４・Ｍ１５、左右側板Ｍ１６・Ｍ１７、頂上Ｍ１８、貫通孔Ｍ１９、左右凸状保持板Ｍ２０・Ｍ２１、頂点Ｍ２２・Ｍ２３は、上述の実施の形態１における陳列板Ａの頂上開口部Ａ１、辺Ａ２〜Ａ５、彎曲分割線Ａ６・Ａ７、連結分割線Ａ８・Ａ９、左端Ａ１０・Ａ１２、右端Ａ１１・Ａ１３、支点Ａ１４・Ａ１５、左右側板Ａ１６・Ａ１７、頂上Ａ１８、貫通孔Ａ１９、左右凸状保持板Ａ２０・Ａ２１、頂点Ａ２２・Ａ２３にそれぞれ相当するものであるが、四辺Ｍ２〜Ｍ５のうちの左右辺Ｍ３・Ｍ５には、それぞれ係合凸部Ｎ・固定板Ｐを設けている。【００５５】  係合凸部Ｎは、四辺Ｎ１〜Ｎ４からなる長方形の外形形状からなり、この右辺Ｎ４にて環状陳列板Ｍの左辺Ｍ３と一体とし、また、係合凸部Ｎの左右辺Ｎ２・Ｎ４の長さを、環状陳列板Ｍの左辺Ｍ３の長さより小さくしており、環状陳列板Ｍの上辺Ｍ２と係合凸部Ｎの上辺Ｎ１、及び、環状陳列板Ｍの下辺Ｍ４と係合凸部Ｎの下辺Ｎ３には、それぞれ上段差と下段差が設けられることとなり、このうちの上段差を下段差より小さくしている。【００５６】  四辺Ｐ１〜Ｐ４からなる固定板Ｐは、環状陳列板Ｍの右辺Ｍ５上の折り曲げ線Ｍ２４にて折り返しされており、また、この右辺Ｍ５には、四辺Ｑ１〜Ｑ４からなる長方形の外形形状の係合孔Ｑを設け、この平行する左右辺Ｑ２・Ｑ４間に環状陳列板Ｍの右辺Ｍ５が位置しており、この係合孔Ｑの上下辺Ｑ１・Ｑ３と、環状陳列板Ｍの上下辺Ｍ２・Ｍ４との間隔はそれぞれ同一とする、すなわち、係合孔Ｑは環状陳列板Ｍの上下辺Ｍ２・Ｍ４間の中間に位置することとなる。【００５７】  なお、係合孔Ｑには、係合凸部Ｎの左辺Ｎ２より挿入するものであり、係合孔Ｑの大きさは、係合凸部Ｎの左辺Ｎ２の板厚断面とほぼ同等とし、係合凸部Ｎがスムーズに挿入・取り出しができるように、若干これより大きくしている。【００５８】  上述のような係合凸部Ｎを係合孔Ｑに挿入して、係合凸部Ｎを、環状陳列板Ｍと固定板Ｐの間に挟着した状態とするならば、係合凸部Ｎを有する環状陳列板Ｍの左辺Ｍ３と、係合孔Ｑを有する環状陳列板Ｍの右辺Ｍ５は、垂直断面形状が環状なる陳列体Ｂ４の下部において接合されることとなるが、係合孔Ｑは環状陳列板Ｍの右辺Ｍ５の中間に位置するけれども、係合凸部Ｎは環状陳列板Ｍの左辺Ｍ３の中間に位置していないため、この左右辺Ｍ３・Ｍ５の両端は、上下方向において互いに揃うことはない。【００５９】  この左右辺��３・Ｍ５の両端を、上下方向において互いに揃う状態とするために、環状陳列板Ｍの左辺Ｍ３と、係合凸部Ｎの上辺Ｎ１が交わる角Ｍ２５に、三辺Ｒ１〜Ｒ３からなる切り欠き部Ｒを設けており、この三辺Ｒ１〜Ｒ３のうちの対向する左右辺Ｒ１・Ｒ３の長さは、上述の環状陳列板Ｍと係合凸部Ｎの位置関係より生じる上段差と下段差との差額と同等とし、また、底辺Ｒ２の巾を環状陳列板Ｍの板厚断面より若干大きくすることによって、この切り欠き部Ｒ内に、環状陳列板Ｍと固定板Ｐの折り返し部Ｍ２６を挿入することができる、すなわち、係合凸部Ｎを、環状陳列板Ｍの右辺Ｍ５上の折り曲げ線Ｍ２４に沿って、環状陳列板Ｍと固定板Ｐの間にてスライドできることとなり、陳列体Ｂ４の下部の環状陳列板Ｍの左右辺Ｍ３・Ｍ５の両端を互いに揃う状態にすることができる。【００６０】  したがって、係合孔Ｑ内に挿入した係合凸部Ｎを、環状陳列板Ｍと固定板Ｐの間にてスライドして、係合凸部Ｎの切り欠き部Ｒ内に、係合孔Ｑを設けていない範囲の折り返し部Ｍ２６が挿入されて、この折り返し部Ｍ２６と、切り欠き部Ｒの対向する二辺Ｒ１・Ｒ３のうちの左辺Ｒ１が、互いに係止されることとなる、すなわち、陳列体Ｂ４の下部の環状陳列板Ｍの左右辺Ｍ３・Ｍ５の両端を互いに揃う状態にて、環状陳列板Ｍの左辺Ｍ３と右辺Ｍ５は係合され、陳列体Ｂ４は、垂直断面形状が環状に形成されることとなり、環状陳列板Ｍの頂上開口部Ｍ１に陳列物を貫通しなくても、環状陳列板Ｍは環状となっている、すなわち、一対の左右凸状保持板Ｍ２０・Ｍ２１の頂点Ｍ２２・Ｍ２３間に、ある程度の間隔が形成されることとなり、陳列物を貫通し易いとともに、弾力性を有する材料、及び、対応的凹凸による係合をもって扁平状に折り畳みができ、小さなスペースで保管・輸送が可能な折り畳み式の陳列体Ｂ４となる。【００６１】  なお、環状陳列板Ｍの左辺Ｍ３と環状陳列板Ｍの右辺Ｍ５の係合を解く場合には、係合孔Ｑを形成するところの環状陳列板Ｍと固定板Ｐの間にて、上述の係合する場合とは逆方向に係合凸部Ｎをスライドし、折り返し部Ｍ２６と切り欠き部Ｒの係止状態を解いて、係合凸部Ｎを係合孔Ｑより取り外すこととなるが、これらは陳列体Ｂ４の、ある程度の弾力性を有する材質にて可能となるものであり、また、環状陳列板Ｍと、この環状陳列板Ｍに折り返した固定板Ｐとは、上述の係合凸部Ｎのスライド領域以外において、接着剤にて互いに接着している【００６２】  上述の実施例において、陳列体Ｂ４の下部において、係合孔Ｑを設けた右側は、環状陳列板Ｍと固定板Ｐにより二重となっているが、係合凸部Ｎを設けた左側は環状陳列板Ｍのみにて、強度的なバランスが問題であり、左側において別部品の左側補強板を用意して、係合凸部Ｎの左辺Ｎ２の延長に折り曲げ線をもって折り返して互いに接着してもよいし、さらに、右側においても別部品の右側補強板を用意し、固定板Ｐの右辺Ｐ４の延長に折り曲げ線をもって折り返して互いに接着して、上述の左側補強板上に重ね合わせてもよい。【００６３】  また、陳列体Ｂ４の下部において係合凸部Ｎと係合孔Ｑを係合しているが、この係合を解く必要がないのであれば、環状陳列板Ｍの左右辺Ｍ３・Ｍ５の片方に、のり代を設け、これを接着剤にて互いに接着してもよいことは言うまでもない。
【実施例６】
【００６４】  実施の形態６を示す図１２・１３において、陳列体Ｂ５は、環状陳列板Ｓに弓形支持板Ｘ・Ｙを突設する実施例である。【００６５】  陳列体Ｂ５は、上述の実施の形態５の環状陳列板Ｍ、係合凸部Ｎ及び切り欠き部Ｒ、固定板Ｐ及び係合孔Ｑと同等であるところの環状陳列板Ｓ、係合凸部Ｔ及び切り欠き部Ｗ、固定板Ｕ及び係合孔Ｖからなり、この環状陳列板Ｓに一対の弓形支持板Ｘ・Ｙを配設している。【００６６】  環状陳列板Ｓ、係合凸部Ｔ及び切り欠き部Ｗ、固定板Ｕ及び係合孔Ｖは、上述の実施の形態５の環状陳列板Ｍ、係合凸部Ｎ及び切り欠き部Ｒ、固定板Ｐ及び係合孔Ｑと同等であり、頂上開口部Ｓ１、辺Ｓ２〜Ｓ５、彎曲分割線Ｓ６・Ｓ７、連結分割線Ｓ８・Ｓ９、左端Ｓ１０・Ｓ１２、右端Ｓ１１・Ｓ１３、支点Ｓ１４・Ｓ１５、左右側板Ｓ１６・Ｓ１７、頂上Ｓ１８、貫通孔Ｓ１９、左右凸状保持板Ｓ２０・Ｓ２１、頂点Ｓ２２・Ｓ２３、折り曲げ線Ｓ２４、角Ｓ２５、折り返し部Ｓ２６、辺Ｔ１〜Ｔ４・Ｕ１〜Ｕ４・Ｖ１〜Ｖ４・Ｗ１〜Ｗ３は、上述の実施の形態５における陳列体Ｂ４の頂上開口部Ｍ１、辺Ｍ２〜Ｍ５、彎曲分割線Ｍ６・Ｍ７、連結分割線Ｍ８・Ｍ９、左端Ｍ１０・Ｍ１２、右端Ｍ１１・Ｍ１３、支点Ｍ１４・Ｍ１５、左右側板Ｍ１６・Ｍ１７、頂上Ｍ１８、貫通孔Ｍ１９、左右凸状保持板Ｍ２０・Ｍ２１、頂点Ｍ２２・Ｍ２３、折り曲げ線Ｍ２４、角Ｍ２５、折り返し部Ｍ２６、辺Ｎ１〜Ｎ４・Ｐ１〜Ｐ４・Ｑ１〜Ｑ４・Ｒ１〜Ｒ３にそれぞれ相当するものであるが、環状陳列板Ｓには一対の弓形分割線Ｘ１・Ｙ１を配設している。【００６７】  一対の弓形分割線Ｘ１・Ｙ１は、弦Ｘ２・Ｙ２が環状陳列板Ｓの左右辺Ｓ３・Ｓ５にそれぞれ平行し、頂点Ｘ３・Ｙ３が環状陳列板Ｓの頂上開口部Ｓ１にそれぞれ向かうところの弓形としており、この一対の弓形分割線Ｘ１・Ｙ１による一対の弓形支持板Ｘ・Ｙには、弾力性を有する材質により元の状態に戻ろうとする反発力が発生して、一対の弓形支持板Ｘ・Ｙは彎曲することはなく、ほぼ水平状態に近い角度にて左右に開放することとなる。【００６８】  したがって、環状陳列板Ｓの左辺Ｓ３と右辺Ｓ５は係合され、垂直断面形状が環状に形成されることとなり、環状陳列板Ｓの頂上開口部Ｓ１に陳列物を貫通しなくても、環状陳列板Ｓは環状となっている、すなわち、一対の左右凸状保持板Ｓ２０・Ｓ２１の頂点Ｓ２２・Ｓ２３間に、ある程度の間隔が形成されることとなり、陳列物を貫通し易いとともに、環状陳列板Ｓの下部にて、左右に突設される一対の弓形支持板Ｘ・Ｙにて安定し、弾力性を有する材料、及び、対応的凹凸による係合をもって扁平状に折り畳みができ、小さなスペースで保管・輸送が可能な折り畳み式の陳列体Ｂ５となる。【００６９】  上述の実施例において、弓形支持板Ｘ・Ｙを形成する弓形分割線Ｘ１・Ｙ１としているが、弓形に限定するものではなく、コ字形分割線等の凸形であれば問題はない。
【符号の説明】
【００７０】                                        Ａ  陳列板
Ｂ１、Ｂ２、Ｂ３、Ｂ４、Ｂ５  陳列体
Ｃ  凸状陳列板
Ｄ  底板
Ｅ、Ｎ、Ｔ  係合凸部
Ｆ、Ｑ、Ｖ  係合孔
Ｇ  アーチ状陳列板
Ｈ  補強板
Ｊ、Ｌ  装入孔
Ｋ  補強体
Ｍ、Ｓ  環状陳列板
Ｐ、Ｕ  固定板
Ｒ、Ｗ  切り欠き部
Ｘ、Ｙ  弓形支持板
【図１】
0003197704.tif 000003
【図２】
0003197704.tif 000004
【図３】
0003197704.tif 000005
【図４】
0003197704.tif 000006
【図５】
0003197704.tif 000007
【図６】
0003197704.tif 000008
【図７】
0003197704.tif 000009
【図８】
0003197704.tif 000010
【図９】
0003197704.tif 000011
【図１０】
0003197704.tif 000012
【図１１】
0003197704.tif 000013
【図１２】
0003197704.tif 000014
【図１３】
0003197704.tif 000015
【手続補正書】
【提出日】平成27年3月6日(2015.3.6)
【手続補正１】
【補正対象書類名】実用新案登録請求の範囲
【補正対象項目名】全文
【補正方法】変更
【補正の内容】
【実用新案登録請求の範囲】
【請求項１】
弾力性を有する外形形状の四辺形のうちの平行する二辺に湾曲する支点を有し、この二辺に直角なる一対の彎曲分割線と、この彎曲分割線間を結ぶ連結分割線による頂上開口部を頂上に配設した陳列板の、一対の前記彎曲分割線を二辺とする貫通孔に貫通した陳列物を、前記連結分割線が形成する頂点が対向する一対の凸状保持板にて圧接した陳列体。
【請求項２】
前記陳列板の彎曲を凸状とした凸状陳列板の湾曲する支点を有する二辺のうち、一方の辺の延長に開閉自在なる折り曲げ線をもって外形形状が四辺形なる底板を付設し、他方の辺は前記底板と対応的凹凸をもって係合した請求項１記載の陳列体。
【請求項３】
前記陳列板の彎曲をアーチ状としたアーチ状陳列板の湾曲する支点となる二辺に平行し、かつ、この二辺よりも大きな左右辺と、前記アーチ状陳列板の湾曲する支点間隔より小さな上下辺よりなる四辺形の装入孔を、フラット状の補強板に設け、この装入孔に前記アーチ状陳列板の頂上開口部を含む頂上を装入した請求項１記載の陳列体。
【請求項４】
開閉自在なる折り曲げ線を有する四角をもって垂直断面形状が四辺形の補強体のうち、前記補強板からなる上面の前記装入孔に、前記アーチ状陳列板の頂上開口部を含む頂上を装入し、前記補強体の下面上に前記アーチ状陳列板の湾曲する支点となる二辺を載置した請求項３記載の陳列体。
【請求項５】
前記陳列板の彎曲を環状とした環状陳列板の湾曲する支点を有する二辺を、下部にて対応的凹凸をもって互いに係合した請求項１記載の陳列体。
【請求項６】
下部の二辺にそれぞれの弦が平行し、それぞれの頂点が前記環状陳列板の頂上に向かう一対の弓形分割線により、一対の弓形支持板を左右に突設した請求項５記載の陳列体。